(57)【要約】  コンポジット信号をデジタル化したデジタル入力信号から、文字放送基準信号の周波数成分を抜き取るバンドパスフィルタ（131）を、周波数特性向上回路（130）に設ける。周波数特性向上回路（130）の出力の、文字放送基準信号の期間における最大値と最小値、及び現在の水平同期区間から次の水平同期区間における最大値と最小値に基づいてコンポジット信号の状態を判別する判別回路（145）を、スライス回路（140）に設ける。そして、周波数特性向上回路（130）によって、判別回路（145）の判別結果に応じて選択した、バンドパスフィルタ（131）の出力、及びデジタル入力信号の何れかに基づいてスライス回路（140）へ出力する信号を生成する。
2008146454.tif 000002
【特許請求の範囲】
【請求項１】
アナログテレビのコンポジット信号の垂直帰線区間に重畳される文字放送信号を受信する文字放送受信回路であって、
文字放送信号の周波数帯域の振幅が所定レベルよりも低い場合に、その周波数帯域を増幅する周波数特性向上回路と、
前記周波数特性向上回路の出力を２値化して出力するスライス回路と、
を備えていることを特徴とする文字放送受信回路。
【請求項２】
請求項１の文字放送受信回路であって、
前記スライス回路は、
前記文字放送基準信号の期間における前記周波数特性向上回路の出力の最大値と最小値を検出する第１のＭＩＮ／ＭＡＸ回路と、
現在の水平同期区間から次の水平同期区間における、前記周波数特性向上回路の出力の最大値と最小値を検出する第２のＭＩＮ／ＭＡＸ回路と、
前記第１のＭＩＮ／ＭＡＸ回路の出力に応じ、前記周波数特性向上回路の出力を２値化するためのスライスレベルを算出するスライスレベル算出回路と、
前記スライスレベルに応じて前記周波数特性向上回路の出力を２値化する文字放送データ抜き取り回路と、
前記第１のＭＩＮ／ＭＡＸ回路が求めた最大値、最小値、及び前記第２のＭＩＮ／ＭＡＸ回路が求めた最大値、最小値を用いてコンポジット信号の状態を判別する判別回路と、を備えており、
前記周波数特性向上回路は、
前記文字放送基準信号の周波数成分を抜き取るバンドパスフィルタと、
前記判別回路の判別結果に応じ、入力された信号の１つを選択出力する選択回路と、
前記バンドパスフィルタの出力の振幅に基づいて決定された乗数と前記選択回路の出力とを掛け合わせる乗算器と、
前記乗算器の出力と前記デジタル入力信号とを足し合わせる加算器と、を備え、
前記選択回路には、前記バンドパスフィルタの出力、及び前記デジタル入力信号が入力されていることを特徴とする文字放送受信回路。
【請求項３】
請求項２の文字放送受信回路であって、
前記判別回路は、前記第１のＭＩＮ／ＭＡＸ回路が検出した最大値、最小値、及び前記第２のＭＩＮ／ＭＡＸ回路が検出した最大値、最小値の４つの値が一定範囲内の値である場合には前記コンポジット信号が微小信号であると判別し、前記第１のＭＩＮ／ＭＡＸ回路が求めた最大値と最小値の差が一定値よりも大きく、かつ前記第２のＭＩＮ／ＭＡＸ回路が求めた最大値と最小値の差が一定値よりも小さい場合には前記コンポジット信号が異常状態と判別し、
前記選択回路は、前記判別回路の判断が微小信号である場合と異常状態である場合には前記デジタル入力信号を選択出力し、それ以外の場合には、前記バンドパスフィルタの出力を選択出力することを特徴とする文字放送受信回路。
【請求項４】
請求項２の文字放送受信回路であって、
前記デジタル入力信号がノイズ状態信号であるかどうかを検出する弱電界検出回路をさらに備え、
前記周波数特性向上回路は、文字放送信号の帯域よりも高域を除去するローパスフィルタをさらに備え、
前記判別回路は、コンポジット信号の状態の判別に、さらに前記弱電界検出回路の検出結果を用い、
前記選択回路は、前記ローパスフィルタの出力がさらに入力されていることを特徴とする文字放送受信回路。
【請求項５】
請求項４の文字放送受信回路であって、
前記判別回路は、前記デジタル入力信号がノイズ状態信号であると前記弱電界検出回路が検出し、かつ前記第１のＭＩＮ／ＭＡＸ回路が検出した最大値と最小値の差が一定値よりも小さく、かつ前記第２のＭＩＮ／ＭＡＸ回路が検出した最大値と最小値の差が一定値よりも小さい場合に、前記デジタル入力信号がノイズ状態信号であると判別し、
前記選択回路は、前記デジタル入力信号がノイズ状態信号であると前記判別回路が判別した場合には、前記ローパスフィルタの出力を選択出力することを特徴とする文字放送受信回路。
【請求項６】
アナログテレビのコンポジット信号の垂直帰線区間に重畳される文字放送信号を受信する文字放送受信方法であって、
文字放送信号の周波数帯域の振幅が所定レベルよりも低い場合に、その周波数帯域を増幅する周波数特性向上ステップと、
前記周波数特性向上ステップによる出力を２値化して出力するスライスステップと、
を有していることを特徴とする文字放送受信方法。
【発明の詳細な説明】
【技術分野】
【０００１】
本発明は、アナログテレビのコンポジット信号の垂直帰線区間に重畳された文字放送信号を受信する文字放送受信回路に関するものである。
【背景技術】
【０００２】
アナログテレビのコンポジット信号には、垂直帰線区間に文字放送信号が重畳されることがある。上記の文字放送信号を受信する文字放送受信回路の一例としては、図３のブロック図に示すものが考えられる。この文字放送受信回路は、Ａ／Ｄ変換器３１０、水平同期信号検出・ＣＲＩ窓生成部３２０、周波数特性向上回路３３０、ＣＰＵ３４０、スライス回路３５０、文字放送データデコード回路３６０、文字放送データ格納部３７０、及びＯＳＤ３８０（OSD：On Screen Display）を備え、アナログテレビコンポジット信号Ｓ４００が入力されている。アナログテレビコンポジット信号Ｓ４００は、垂直帰線区間には文字放送信号が重畳されている。【０００３】
Ａ／Ｄ変換器３１０は、アナログテレビコンポジット信号Ｓ４００をデジタル化して周波数特性向上回路３３０に出力する。【０００４】
水平同期信号検出・ＣＲＩ窓生成部３２０は、アナログテレビコンポジット信号Ｓ４００の水平同期区間を検出し、この検出結果をもとに、文字放送信号の基準波形を示すクロックランイン（ＣＲＩ）期間を示すＣＲＩ窓を生成する。【０００５】
周波数特性向上回路３３０は、文字放送信号の基準信号であるＣＲＩ信号が持つ周波数帯域を補償するための回路であり、バンドパスフィルタ３３１（図中ではＢＰＦと略記）、乗算器３３２、及び加算器３３３を備えている。【０００６】
バンドパスフィルタ３３１は、入力された文字放送信号の、クロックランイン信号を含んだ周波数のみを取り出す。乗算器３３２は、バンドパスフィルタ３３１の出力とＣＰＵ３４０から与えられた乗数（後述）とを乗算して加算器３３３に出力する。加算器３３３は、Ａ／Ｄ変換器３１０の出力と乗算器３３２の出力とを加算してスライス回路３５０に出力する。【０００７】
ＣＰＵ３４０は、バンドパスフィルタ３３１の出力（すなわちＣＲＩ信号の周波数成分）の振幅をモニタしており、このモニタ結果に応じ、乗算器３３２に適切な乗数を与える。これにより、外部からの入力振幅によらずＣＲＩ信号の目標の振幅を保っている。つまり、ＣＲＩ信号の周波数成分の特性を向上させている。【０００８】
スライス回路３５０は、ＭＩＮ／ＭＡＸ回路３５１、文字放送データ抜き取り回路３５３、及びスライスレベル算出回路３５２を備えている。ＭＩＮ／ＭＡＸ回路３５１は、水平同期信号検出・ＣＲＩ窓生成部３２０で示されたＣＲＩ期間の振幅値を監視し、振幅値の最小値と最大値をスライスレベル算出回路３５２へ出力する。スライスレベル算出回路３５２は、文字放送信号を２値化して０／１を判別するための閾値を、ＭＩＮ／ＭＡＸ回路３５１が求めた最小値と最大値から決定して文字放送データ抜き取り回路３５３に出力する。文字放送データ抜き取り回路３５３は、スライスレベル算出回路３５２に与えられた閾値から、周波数特性向上回路３３０が出力した文字放送信号データを０／１のデータに置き換え、後段の文字放送データデコード回路３６０に出力する。【０００９】
文字放送データデコード回路３６０は、文字放送データ抜き取り回路３５３の出力を放送方式のフォーマットに従ってデコードする。文字放送データ格納部３７０は、文字放送データデコード回路３６０の出力が格納されるようになっている。【００１０】
ＯＳＤ３８０は、ＣＰＵ３４０の制御に従って、文字放送データ格納部３７０内の文字放送データを出力先（例えばテレビジョンの画面）に表示する。【００１１】
上記の文字放送受信回路について、特に周波数特性向上回路３３０についての動作を、信号の流れをおって説明する。【００１２】
図４は、垂直帰線区間のアナログテレビコンポジット信号Ｓ４００の波形の一例である。文字放送信号は、全世界で地域ごとに異なった方式に従って伝送させており、放送方式や伝送されるレートや重畳されているラインなどでこれらを区別できる。例えば、欧州で伝送されているＷｏｒｌｄ  Ｓｙｓｙｔｅｍ  Ｔｅｌｅｔｅｘｔ（以下、ＷＳＴという）では、伝送レートが６．９３７５ＭＨｚ／ビット、重畳ラインが７から２２ラインと決められている。【００１３】
アナログテレビコンポジット信号Ｓ４００は、ＷＳＴが重畳されているラインの信号例である。垂直位置を決める水平同期信号Ｓ４０１、色信号の復調技術にかかわるバースト信号Ｓ４０２を含んでいる。また、クロックランイン信号Ｓ４０３、フレーミングコードＳ４０４、及び文字放送データ信号Ｓ４０５が文字放送信号を構成する要素である。【００１４】
クロックランイン信号Ｓ４０３は、文字放送信号の基準であり、文字放送データの０／１値を決定する基準レベルに関する。なお、ＷＳＴにおいてクロックランイン信号Ｓ４０３は、０／１値化すると“１０１０１０１０１０１０１０１０”であり、約３．５ＭＨｚの周波数成分を有している。フレーミングコードＳ４０４は、文字放送信号の種別を示しており、ＷＳＴでは“１１１００１００”となっている。また、文字放送データ信号Ｓ４０５は文字放送のデータであり、ＷＳＴでは４２バイトデータと決められている。【００１５】
アナログテレビコンポジット信号Ｓ４００は、図５のＳ５０１に示すように、６．３９７５ＭＨｚまでの帯域を持っており、アナログテレビコンポジット信号Ｓ４００が周波数特性向上回路３３０を通過すると、クロックランイン信号Ｓ４０３である３．５ＭＨｚ付近が、ＣＰＵ３４０から供給された乗数によって増幅される。これにより、例えば、図５のＳ５０２に示すように、伝送路の影響等によってクロックランイン信号Ｓ４０３の振幅特性が十分でない場合には、周波数特性向上回路３３０によってＳ５０３のように周波数特性を補償することができる。【００１６】
ＭＩＮ／ＭＡＸ回路３５１は、水平同期信号検出・ＣＲＩ窓生成部３２０で生成されたＣＲＩ窓で示されるＣＲＩ期間の振幅の最小値４Ａ（図４を参照）及び振幅の最大値４Ｂ（図４を参照）を検出し、ＣＰＵ３４０に供給する。スライスレベル算出回路３５２は、振幅の最小値４Ａ及び最大値４Ｂの値から、その中間レベル４Ｃ（図４を参照）を０／１値化のスライスレベルとして決定する。そして、中間レベル４Ｃのレベルを基準とし、フレーミングコードＳ４０４及び文字放送データ信号Ｓ４０５をデコードする。【００１７】
上記のように、周波数特性向上回路３３０は、ＣＲＩ信号帯域の振幅を増幅させてスライス回路３５０の動作精度を向上させることによって、文字放送信号の受信性能に貢献するものである。【００１８】
また、他の文字放送受信回路の一例としては、複数種類のスライスレベルで入力データを２値化してデコードすることによって複数のデコードデータを生成し、そして、複数のデコードデータのなかからエラーの無いデコードデータを選択するようにしたものがある（例えば特許文献１を参照）。
【特許文献１】特開２００４−４０３５０号公報
【発明の開示】
【発明が解決しようとする課題】
【００１９】
しかしながら、上記の周波数特性向上回路では、入力（アナログテレビコンポジット信号）が微小な場合には、クロックランイン信号の周波数帯域を増幅しただけでは、設定されたスライスレベルに対して文字放送データの振幅が満たされず、文字放送データが誤って抜き取られる可能性が高くなる。つまり、この場合は文字放送データも同様に振幅の増幅が必要である。【００２０】
本発明は上記の問題に着目してなされたものであり、微小振幅のアナログテレビコンポジット信号が入力されている場合でも、スライス回路に入力する信号に対して必要な信号振幅を与えられるようにすることを目的としている。
【課題を解決するための手段】
【００２１】
上記の課題を解決するため、本発明の一態様は、
アナログテレビのコンポジット信号の垂直帰線区間に重畳される文字放送信号を受信する文字放送受信回路であって、
文字放送信号の周波数帯域の振幅が所定レベルよりも低い場合に、その周波数帯域を増幅する周波数特性向上回路と、
前記周波数特性向上回路の出力を２値化して出力するスライス回路と、
を備えていることを特徴とする。
【発明の効果】
【００２２】
本発明によれば、微小振幅のアナログテレビコンポジット信号が入力されている場合でも、スライス回路に入力する信号に対して必要な信号振幅を与えられる。
【図面の簡単な説明】
【００２３】
【図１】図１は、実施形態１に係る文字放送受信回路１００の構成を示すブロック図である。
【図２】図２は、実施形態２に係る文字放送受信回路２００の構成を示すブロック図である。
【図３】図３は、従来の文字放送受信回路の一例を示すブロック図である。
【図４】図４は、垂直帰線区間のアナログテレビコンポジット信号の波形の一例である。
【図５】図５は、文字放送信号帯域の説明図である。
【符号の説明】
【００２４】
１００      文字放送受信回路
１１０      Ａ／Ｄ変換器
１２０      水平同期信号検出・ＣＲＩ窓生成部
１３０      周波数特性向上回路
１３１      バンドパスフィルタ
１３２      選択回路
１３３      乗算器
１３４      加算器
１４０      スライス回路
１４１      第１のＭＩＮ／ＭＡＸ回路
１４２      第２のＭＩＮ／ＭＡＸ回路
１４３      スライスレベル算出回路
１４４      文字放送データ抜き取り回路
１４５      判別回路
１５０      文字放送データデコード回路
１６０      文字放送データ格納部
１７０      ＯＳＤ
１８０      ＣＰＵ
２００      文字放送受信回路
２１０      ローパスフィルタ
２２０      弱電界検出回路
Ｓ１０１      アナログテレビコンポジット信号
Ｓ１０２      デジタル入力信号
【発明を実施するための最良の形態】
【００２５】
以下、本発明の実施形態について図面を参照しながら説明する。なお、以下の各実施形態の説明において、一度説明した構成要素と同様の機能を有する構成要素については、同一の符号を付して説明を省略する。【００２６】
《発明の実施形態１》
図１は、本発明の実施形態１に係る文字放送受信回路１００の構成を示すブロック図である。文字放送受信回路１００は、同図に示すように、Ａ／Ｄ変換器１１０、水平同期信号検出・ＣＲＩ窓生成部１２０、周波数特性向上回路１３０、スライス回路１４０、文字放送データデコード回路１５０、文字放送データ格納部１６０、ＯＳＤ１７０（OSD：On Screen Display）、及びＣＰＵ１８０を備えている。【００２７】
Ａ／Ｄ変換器１１０は、アナログテレビコンポジット信号Ｓ１０１が入力されており、入力された信号をデジタル化して周波数特性向上回路１３０に出力する。アナログテレビコンポジット信号Ｓ１０１は、垂直帰線区間に文字放送信号が重畳されている信号である。【００２８】
水平同期信号検出・ＣＲＩ窓生成部１２０は、アナログテレビコンポジット信号Ｓ１０１の水平同期区間を検出し、この検出結果をもとに、文字放送信号の基準波形を示すクロックランイン（以下、ＣＲＩ）期間を示すＣＲＩ窓を生成する。【００２９】
周波数特性向上回路１３０は、文字放送信号の基準信号であるＣＲＩ信号が持つ周波数帯域を補償する。この周波数特性向上回路１３０は、バンドパスフィルタ１３１（図中ではＢＰＦと略記）、選択回路１３２、乗算器１３３、及び加算器１３４を備えている。【００３０】
バンドパスフィルタ１３１は、入力された文字放送信号の、ＣＲＩ信号（文字放送信号の基準信号）を含んだ周波数のみを取り出す。例えば、アナログテレビコンポジット信号Ｓ１０１が、欧州で伝送されているＷｏｒｌｄ  Ｓｙｓｙｔｅｍ  Ｔｅｌｅｔｅｘｔ（以下ＷＳＴ）の場合は、バンドパスフィルタ１３１は、ＣＲＩ信号周波数の約３．５ＭＨｚを中心周波数にもつデジタルバンドパスフィルタである。なお、ＷＳＴは、伝送レートが６．９３７５ＭＨｚ／ビット、重畳ラインが７から２２ラインと決められている。【００３１】
選択回路１３２は、Ａ／Ｄ変換器１１０の出力データ（デジタル入力信号Ｓ１０２と呼ぶ）とバンドパスフィルタ１３１の出力データが入力されており、スライス回路１４０内の判別回路１４５（後述）の判別結果に応じ、入力されたこれらのデータのうちの１つを選択出力する。【００３２】
乗算器１３３は、選択回路１３２の出力とＣＰＵ１８０から返される乗数（後述）とを乗算する。【００３３】
加算器１３４は、乗算器１３３の乗算結果とデジタル入力信号Ｓ１０２とを加算して後段のスライス回路１４０に出力する。【００３４】
スライス回路１４０は、周波数特性向上回路１３０の出力を２値化して出力する。このスライス回路１４０は、第１のＭＩＮ／ＭＡＸ回路１４１、第２のＭＩＮ／ＭＡＸ回路１４２、スライスレベル算出回路１４３、文字放送データ抜き取り回路１４４、及び判別回路１４５を備えている。【００３５】
第１のＭＩＮ／ＭＡＸ回路１４１は、ＣＲＩ期間における周波数特性向上回路１３０の出力の振幅値を監視し、振幅値の最小値と最大値を検出してスライスレベル算出回路１４３及び判別回路１４５へ出力する。【００３６】
第２のＭＩＮ／ＭＡＸ回路１４２は、現在の水平同期区間から次の水平同期区間における、周波数特性向上回路１３０の出力の最大値と最小値を検出し、その結果を判別回路１４５に出力する。【００３７】
スライスレベル算出回路１４３は、第１のＭＩＮ／ＭＡＸ回路１４１の出力に応じて、文字放送信号の０／１を判別する閾値を決定し、文字放送データ抜き取り回路１４４に出力する。【００３８】
文字放送データ抜き取り回路１４４は、スライスレベル算出回路１４３が決定した閾値に基づいて、周波数特性向上回路１３０が出力した文字放送信号データを０／１のデータに置き換え、後段の文字放送データデコード回路１５０に出力する。【００３９】
判別回路１４５は、第１のＭＩＮ／ＭＡＸ回路１４１が出力した最大値、最小値、最大値と最小値の差、及び第２のＭＩＮ／ＭＡＸ回路１４２が出力した最大値、最小値、最大値と最小値の差に基づいて、選択回路１３２の出力データの選択を制御する。【００４０】
具体的には、第１のＭＩＮ／ＭＡＸ回路１４１が出力した最大値と最小値、及び第２のＭＩＮ／ＭＡＸ回路１４２出力した最大値と最小値の４値が、予め定めた一定値範囲以下に収まっている場合には、判別回路１４５は、アナログテレビコンポジット信号Ｓ１０１が微小信号であると判別し、選択回路１３２からはデジタル入力信号Ｓ１０２を選択出力させる。【００４１】
また、第１のＭＩＮ／ＭＡＸ回路１４１の最大値と最小値の差が一定値よりも大きい値をとり、かつ第２のＭＩＮ／ＭＡＸ回路１４２も同様に最大値と最小値の差が一定値よりも大きい値をとる場合には、判別回路１４５は、通常動作（アナログテレビコンポジット信号Ｓ１０１が通常の信号である場合の動作）と判別し、選択回路１３２からはバンドパスフィルタ１３１の出力データを選択出力させる。【００４２】
また、第１のＭＩＮ／ＭＡＸ回路１４１の最大値と最小値の差が一定値よりも大きく、その一方で第２のＭＩＮ／ＭＡＸ回路１４２の最大値と最小値の差が一定値よりも小さい場合には、判別回路１４５は、アナログテレビコンポジット信号Ｓ１０１が異常状態である判定し、入力信号全体の帯域を増幅すべく、選択回路１３２からはデジタル入力信号Ｓ１０２を選択出力させる。【００４３】
文字放送データデコード回路１５０は、放送方式のフォーマットに従って文字放送データ抜き取り回路１４４の出力をデコードする。【００４４】
文字放送データ格納部１６０は、文字放送データデコード回路１５０の出力が格納される。【００４５】
ＯＳＤ１７０は、ＣＰＵ１８０の制御に従って、文字放送データ格納部１６０内の文字放送データを出力先（例えばテレビジョンの画面）に表示する。【００４６】
ＣＰＵ１８０は、バンドパスフィルタ１３１の出力におけるＣＲＩ信号周波数帯域の振幅をモニタし、目標の信号振幅を満たすべく、モニタ結果に応じた適切な乗数を乗算器１３３に与える。【００４７】
（文字放送受信回路１００の動作）
文字放送受信回路１００に対して微小振幅の信号が入力された場合、ＣＲＩ信号の振幅も小さい。そのため第１のＭＩＮ／ＭＡＸ回路１４１の最大値及び最小値は、通常よりも小さい値をとり、かつ最大値と最小値の差も小さい。また、ＣＲＩ信号部分以外の信号振幅も小さいと考えられるため、同様に第２のＭＩＮ／ＭＡＸ回路１４２の最大値及び最小値も通常よりも小さい値をとり、かつ最大値と最小値の差も小さい。よって、判別回路１４５は、選択回路１３２からはデジタル入力信号Ｓ１０２を選択出力させる。一方、ＣＰＵ１８０は、バンドパスフィルタ１３１の出力におけるＣＲＩ信号周波数帯域の振幅をモニタしており、モニタ結果に応じ、目標の信号振幅を満たすべく、乗算器１３３に適切な乗数を与えている。  【００４８】
これにより、乗算器１３３には、デジタル入力信号Ｓ１０２そのものが入力されて、ＣＲＩ信号帯域のみならず、入力信号全体の帯域が増幅される。そして、加算器１３４は、乗算器１３３の乗算結果とデジタル入力信号Ｓ１０２とを加算してスライス回路１４０に出力する。その結果、スライス回路１４０に必要な十分な信号振幅が与えられる。【００４９】
このとき、第１のＭＩＮ／ＭＡＸ回路１４１の最大値と最小値の差は一定値よりも大きい値をとり、また、第２のＭＩＮ／ＭＡＸ回路１４２の最大値と最小値の差も同様に一定値よりも大きい値をとる。この場合は、判別回路１４５は、通常動作と判断し、判別回路１４５は、選択回路１３２からはバンドパスフィルタ１３１の出力データを選択出力させる。【００５０】
しかしながら、判別回路１４５が通常動作と判断しても文字放送受信回路１００の入力が微小振幅でありつづけるとＣＲＩ信号の周波数帯域のみが増幅されるので、文字放送データの信号振幅が、スライス回路１４０に必要な信号振幅に満たないことが起こりうる。この場合は、第１のＭＩＮ／ＭＡＸ回路１４１の最大値と最小値の差は一定値よりも大きく、一方で第２のＭＩＮ／ＭＡＸ回路１４２の最大値と最小値の差は一定値よりも小さいと考えられる。【００５１】
そのため、判別回路１４５は、異常状態と判定し、入力信号全体の帯域を増幅すべく、Ａ／Ｄ変換器１１０後の出力を選択回路１３２に選択出力させる。これにより、スライス回路１４０には、必要十分な信号振幅が再び与えられるようになる。【００５２】
以上のように、本実施形態によれば、判別回路１４５において、第１のＭＩＮ／ＭＡＸ回路１４１及び第２のＭＩＮ／ＭＡＸ回路１４２の検出結果を用いることによって、入力信号を判別して場合わけができる。それゆえ、増幅されるべき信号帯域を選択回路１３２によって切り替えることが可能になる。例えば、微小信号が入力されている場合には、デジタル入力信号Ｓ１０２の全帯域が増幅される。【００５３】
したがって、微小信号が入力されている場合でも、スライス回路１４０に入力する信号に対して必要な信号振幅を与えられ、後段のスライスレベル算出、及び文字放送データの抜き取り特性を向上させることが可能になる。【００５４】
なお、バンドパスフィルタ１３１の中心周波数（３．５ＭＨｚ）は例示であり、文字放送信号ごとにもっている基準信号周波数をフィルタの中心周波数とできる。【００５５】
《発明の実施形態２》
図２は、本発明の実施形態２に係る文字放送受信回路２００の構成を示すブロック図である。文字放送受信回路２００は、同図に示すように、文字放送受信回路１００に対してローパスフィルタ２１０（図中ではＬＰＦと略記）と弱電界検出回路２２０を追加したものである。なお、これらの追加に伴って、後述するように、選択回路１３２及び判別回路１４５の機能が変更されている。【００５６】
ローパスフィルタ２１０は、周波数特性向上回路１３０内に追加されている。ローパスフィルタ２１０は、入力された放送信号のＣＲＩ信号周波数よりも高域のみを除去するデジタルローパスフィルタであり、デジタル入力信号Ｓ１０２が入力されている。【００５７】
文字放送受信回路２００では、選択回路１３２は、デジタル入力信号Ｓ１０２とバンドパスフィルタ１３１の出力データとローパスフィルタ２１０の出力データが入力されており、判別回路１４５の判別結果に応じ、これらの３つの出力データのうちの１つを選択出力する。【００５８】
弱電界検出回路２２０は、アナログテレビコンポジット信号Ｓ１０１が弱電界状態であるかどうかを検出し、検出結果を判別回路１４５に出力する。具体的には弱電界検出回路２２０は、デジタル入力信号Ｓ１０２が小振幅でノイズ比率が高い信号（ノイズ状態信号）の状態であるかどうかを検出する。【００５９】
文字放送受信回路２００では、判別回路１４５は、弱電界検出回路２２０がデジタル入力信号Ｓ１０２をノイズ状態信号でないと判定した場合には、実施形態１と同様の判断基準で、デジタル入力信号Ｓ１０２及びバンドパスフィルタ１３１の出力データのうちの何れか一方を選択回路１３２に選択させる。また、弱電界検出回路２２０がデジタル入力信号Ｓ１０２をノイズ状態信号であると判断し、かつ第１のＭＩＮ／ＭＡＸ回路１４１が検出した最大値と最小値の差が一定値以下、かつ第２のＭＩＮ／ＭＡＸ回路１４２が検出した最大値と最小値の差が一定値以下である場合には、選択回路１３２にローパスフィルタ２１０の出力データを選択出力させる。【００６０】
（文字放送受信回路２００の動作）
アナログテレビコンポジット信号Ｓ１０１が、ＷＳＴである場合を例に文字放送受信回路２００の動作を説明する。【００６１】
文字放送受信回路２００に対して弱電界状態の信号、つまり小振幅でノイズ比率が高い信号が入力されると、文字放送信号がＷＳＴの場合は、アナログテレビコンポジット信号Ｓ１０１は、伝送レートである６．９３７５ＭＨｚよりも高域の信号を含み、かつ振幅が微小であると考えられる。そのため、第１のＭＩＮ／ＭＡＸ回路１４１の最大値と最小値の差は小さく、同様に第２のＭＩＮ／ＭＡＸ回路１４２の最大値と最小値の差も小さい。また、同時に弱電界検出回路２２０は弱電界状態を検出している。【００６２】
したがって、判別回路１４５は、弱電界状態と判断し、伝送レートよりも高域のノイズ成分をデジタル入力信号Ｓ１０２から除去すべく、選択回路１３２にローパスフィルタ２１０の出力データを選択させる。【００６３】
一方、ＣＰＵ１８０は、バンドパスフィルタ１３１の出力におけるＣＲＩ信号周波数帯域の振幅をモニタしているので、モニタ結果に応じ、スライス回路１４０に必要な信号振幅を満たすべく、乗算器１３３に適切な乗数を与える。これにより、乗算器１３３は、ローパスフィルタ２１０の出力データと与えられた乗数を乗算し、その結果を加算器１３４に出力する。そして、加算器１３４は、乗算器１３３の乗算結果とデジタル入力信号Ｓ１０２とを加算してスライス回路１４０に出力する。その結果、スライス回路１４０には、弱電界状態に特有な高域成分のノイズがあらかじめ除去され、かつ必要な十分な信号振幅の信号が与えられる。【００６４】
このとき、第１のＭＩＮ／ＭＡＸ回路１４１の最大値と最小値の差は一定値よりも大きい値をとり、また、第２のＭＩＮ／ＭＡＸ回路１４２の最大値と最小値の差も同様に一定値よりも大きい値をとる。この場合は、判別回路１４５は、通常動作と判断し、判別回路１４５は、選択回路１３２からはバンドパスフィルタ１３１の出力データを選択出力させる。【００６５】
しかしながら、判別回路１４５が通常動作と判断しても文字放送受信回路１００の入力が弱電界状態であり続けるとＣＲＩ信号の周波数帯域のみが乗算器１３３によって増幅されるので、文字放送データの信号振幅が、スライス回路１４０に必要な信号振幅に満たないことが起こりうる。この場合は、第１のＭＩＮ／ＭＡＸ回路１４１の最大値と最小値の差は一定値よりも大きく、一方で第２のＭＩＮ／ＭＡＸ回路１４２の最大値と最小値の差は一定値よりも小さいと考えられる。【００６６】
そのため、判別回路１４５は、異常状態と判定し、入力信号全体の帯域を増幅すべく、Ａ／Ｄ変換器１１０後の出力を選択回路１３２に選択出力させる。これにより、スライス回路１４０には、必要十分な信号振幅が再び与えられるようになる。【００６７】
以上のように、本実施形態によれば、判別回路１４５において、第１のＭＩＮ／ＭＡＸ回路１４１、第２のＭＩＮ／ＭＡＸ回路１４２、及び弱電界検出回路２２０の検出結果を用いることによって、入力信号を判別して場合わけができる。それゆえ、増幅されるべき信号帯域を選択回路１３２によって切り替えることが可能になる。例えば、アナログテレビコンポジット信号Ｓ１０１がノイズ状態信号の場合には、ノイズ成分が除去されたデジタル入力信号Ｓ１０２の全帯域が増幅される。【００６８】
したがって、弱電界入力でも安定して、スライス回路１４０に必要な信号振幅を与えることが可能になり、後段のスライスレベル算出、及び文字放送データの抜き取り特性を向上させることが可能になる。【００６９】
なお、ローパスフィルタ２１０の遮断周波数（上記の例では伝送レートである６．９３７５ＭＨｚ）は例示であり、文字放送信号ごとにもっている信号帯域によって遮断周波数を設定すればよい。【００７０】
また、実施形態１、及び実施形態２の文字放送信号入力として説明したＷＳＴ信号も一例であり、全世界あらゆる文字放送信号において実現可能である。
【産業上の利用可能性】
【００７１】
本発明に係る文字放送受信回路は、微小振幅のアナログテレビコンポジット信号が入力されている場合でも、スライス回路に入力する信号に対して必要な信号振幅を与えられる  という効果を有し、アナログテレビのコンポジット信号の垂直帰線区間に重畳された文字放送信号を受信する文字放送受信回路等として有用である。
【図１】
2008146454.tif 000003
【図２】
2008146454.tif 000004
【図３】
2008146454.tif 000005
【図４】
2008146454.tif 000006
【図５】
2008146454.tif 000007
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
アナログテレビのコンポジット信号の垂直帰線区間に重畳される文字放送信号を受信する文字放送受信回路であって、
文字放送信号の周波数帯域の振幅が所定レベルよりも低い場合に、その周波数帯域を増幅する周波数特性向上回路と、
前記周波数特性向上回路の出力を２値化して出力するスライス回路と、
を備えていることを特徴とする文字放送受信回路。
【請求項２】
請求項１の文字放送受信回路であって、
前記スライス回路は、
前記文字放送基準信号の期間における前記周波数特性向上回路の出力の最大値と最小値を検出する第１のＭＩＮ／ＭＡＸ回路と、
現在の水平同期区間から次の水平同期区間における、前記周波数特性向上回路の出力の最大値と最小値を検出する第２のＭＩＮ／ＭＡＸ回路と、
前記第１のＭＩＮ／ＭＡＸ回路の出力に応じ、前記周波数特性向上回路の出力を２値化するためのスライスレベルを算出するスライスレベル算出回路と、
前記スライスレベルに応じて前記周波数特性向上回路の出力を２値化する文字放送データ抜き取り回路と、
前記第１のＭＩＮ／ＭＡＸ回路が求めた最大値、最小値、及び前記第２のＭＩＮ／ＭＡＸ回路が求めた最大値、最小値を用いてコンポジット信号の状態を判別する判別回路と、を備えており、
前記周波数特性向上回路は、
前記文字放送基準信号の周波数成分を抜き取るバンドパスフィルタと、
前記判別回路の判別結果に応じ、入力された信号の１つを選択出力する選択回路と、
前記バンドパスフィルタの出力の振幅に基づいて決定された乗数と前記選択回路の出力とを掛け合わせる乗算器と、
前記乗算器の出力と前記デジタル入力信号とを足し合わせる加算器と、を備え、
前記選択回路には、前記バンドパスフィルタの出力、及び前記デジタル入力信号が入力されていることを特徴とする文字放送受信回路。
【請求項３】
請求項２の文字放送受信回路であって、
前記判別回路は、前記第１のＭＩＮ／ＭＡＸ回路が検出した最大値、最小値、及び前記第２のＭＩＮ／ＭＡＸ回路が検出した最大値、最小値の４つの値が一定範囲内の値である場合には前記コンポジット信号が微小信号であると判別し、前記第１のＭＩＮ／ＭＡＸ回路が求めた最大値と最小値の差が一定値よりも大きく、かつ前記第２のＭＩＮ／ＭＡＸ回路が求めた最大値と最小値の差が一定値よりも小さい場合には前記コンポジット信号が異常状態と判別し、
前記選択回路は、前記判別回路の判断が微小信号である場合と異常状態である場合には前記デジタル入力信号を選択出力し、それ以外の場合には、前記バンドパスフィルタの出力を選択出力することを特徴とする文字放送受信回路。
【請求項４】
請求項２の文字放送受信回路であって、
前記デジタル入力信号がノイズ状態信号であるかどうかを検出する弱電界検出回路をさらに備え、
前記周波数特性向上回路は、文字放送信号の帯域よりも高域を除去するローパスフィルタをさらに備え、
前記判別回路は、コンポジット信号の状態の判別に、さらに前記弱電界検出回路の検出結果を用い、
前記選択回路は、前記ローパスフィルタの出力がさらに入力されていることを特徴とする文字放送受信回路。
【請求項５】
請求項４の文字放送受信回路であって、
前記判別回路は、前記デジタル入力信号がノイズ状態信号であると前記弱電界検出回路が検出し、かつ前記第１のＭＩＮ／ＭＡＸ回路が検出した最大値と最小値の差が一定値よりも小さく、かつ前記第２のＭＩＮ／ＭＡＸ回路が検出した最大値と最小値の差が一定値よりも小さい場合に、前記デジタル入力信号がノイズ状態信号であると判別し、
前記選択回路は、前記デジタル入力信号がノイズ状態信号であると前記判別回路が判別した場合には、前記ローパスフィルタの出力を選択出力することを特徴とする文字放送受信回路。
【請求項６】
アナログテレビのコンポジット信号の垂直帰線区間に重畳される文字放送信号を受信する文字放送受信方法であって、
文字放送信号の周波数帯域の振幅が所定レベルよりも低い場合に、その周波数帯域を増幅する周波数特性向上ステップと、
前記周波数特性向上ステップによる出力を２値化して出力するスライスステップと、
を有していることを特徴とする文字放送受信方法。
【手続補正２】
【補正対象書類名】明細書
【補正対象項目名】全文
【補正方法】変更
【補正の内容】
【発明の詳細な説明】
【技術分野】
【０００１】
本発明は、アナログテレビのコンポジット信号の垂直帰線区間に重畳された文字放送信号を受信する文字放送受信回路に関するものである。
【背景技術】
【０００２】
アナログテレビのコンポジット信号には、垂直帰線区間に文字放送信号が重畳されることがある。上記の文字放送信号を受信する文字放送受信回路の一例としては、図３のブロック図に示すものが考えられる。この文字放送受信回路は、Ａ／Ｄ変換器３１０、水平同期信号検出・ＣＲＩ窓生成部３２０、周波数特性向上回路３３０、ＣＰＵ３４０、スライス回路３５０、文字放送データデコード回路３６０、文字放送データ格納部３７０、及びＯＳＤ３８０（OSD：On Screen Display）を備え、アナログテレビコンポジット信号Ｓ４００が入力されている。アナログテレビコンポジット信号Ｓ４００は、垂直帰線区間には文字放送信号が重畳されている。
【０００３】
Ａ／Ｄ変換器３１０は、アナログテレビコンポジット信号Ｓ４００をデジタル化して周波数特性向上回路３３０に出力する。
【０００４】
水平同期信号検出・ＣＲＩ窓生成部３２０は、アナログテレビコンポジット信号Ｓ４００の水平同期区間を検出し、この検出結果をもとに、文字放送信号の基準波形を示すクロックランイン（ＣＲＩ）期間を示すＣＲＩ窓を生成する。
【０００５】
周波数特性向上回路３３０は、文字放送信号の基準信号であるＣＲＩ信号が持つ周波数帯域を補償するための回路であり、バンドパスフィルタ３３１（図中ではＢＰＦと略記）、乗算器３３２、及び加算器３３３を備えている。
【０００６】
バンドパスフィルタ３３１は、入力された文字放送信号の、クロックランイン信号を含んだ周波数のみを取り出す。乗算器３３２は、バンドパスフィルタ３３１の出力とＣＰＵ３４０から与えられた乗数（後述）とを乗算して加算器３３３に出力する。加算器３３３は、Ａ／Ｄ変換器３１０の出力と乗算器３３２の出力とを加算してスライス回路３５０に出力する。
【０００７】
ＣＰＵ３４０は、バンドパスフィルタ３３１の出力（すなわちＣＲＩ信号の周波数成分）の振幅をモニタしており、このモニタ結果に応じ、乗算器３３２に適切な乗数を与える。これにより、外部からの入力振幅によらずＣＲＩ信号の目標の振幅を保っている。つまり、ＣＲＩ信号の周波数成分の特性を向上させている。
【０００８】
スライス回路３５０は、ＭＩＮ／ＭＡＸ回路３５１、文字放送データ抜き取り回路３５３、及びスライスレベル算出回路３５２を備えている。ＭＩＮ／ＭＡＸ回路３５１は、水平同期信号検出・ＣＲＩ窓生成部３２０で示されたＣＲＩ期間の振幅値を監視し、振幅値の最小値と最大値をスライスレベル算出回路３５２へ出力する。スライスレベル算出回路３５２は、文字放送信号を２値化して０／１を判別するための閾値を、ＭＩＮ／ＭＡＸ回路３５１が求めた最小値と最大値から決定して文字放送データ抜き取り回路３５３に出力する。文字放送データ抜き取り回路３５３は、スライスレベル算出回路３５２に与えられた閾値から、周波数特性向上回路３３０が出力した文字放送信号データを０／１のデータに置き換え、後段の文字放送データデコード回路３６０に出力する。
【０００９】
文字放送データデコード回路３６０は、文字放送データ抜き取り回路３５３の出力を放送方式のフォーマットに従ってデコードする。文字放送データ格納部３７０は、文字放送データデコード回路３６０の出力が格納されるようになっている。
【００１０】
ＯＳＤ３８０は、ＣＰＵ３４０の制御に従って、文字放送データ格納部３７０内の文字放送データを出力先（例えばテレビジョンの画面）に表示する。
【００１１】
上記の文字放送受信回路について、特に周波数特性向上回路３３０についての動作を、信号の流れをおって説明する。
【００１２】
図４は、垂直帰線区間のアナログテレビコンポジット信号Ｓ４００の波形の一例である。文字放送信号は、全世界で地域ごとに異なった方式に従って伝送させており、放送方式や伝送されるレートや重畳されているラインなどでこれらを区別できる。例えば、欧州で伝送されているＷｏｒｌｄ  Ｓｙｓｙｔｅｍ  Ｔｅｌｅｔｅｘｔ（以下、ＷＳＴという）では、伝送レートが６．９３７５ＭＨｚ／ビット、重畳ラインが７から２２ラインと決められている。
【００１３】
アナログテレビコンポジット信号Ｓ４００は、ＷＳＴが重畳されているラインの信号例である。垂直位置を決める水平同期信号Ｓ４０１、色信号の復調技術にかかわるバースト信号Ｓ４０２を含んでいる。また、クロックランイン信号Ｓ４０３、フレーミングコードＳ４０４、及び文字放送データ信号Ｓ４０５が文字放送信号を構成する要素である。
【００１４】
クロックランイン信号Ｓ４０３は、文字放送信号の基準であり、文字放送データの０／１値を決定する基準レベルに関する。なお、ＷＳＴにおいてクロックランイン信号Ｓ４０３は、０／１値化すると“１０１０１０１０１０１０１０１０”であり、約３．５ＭＨｚの周波数成分を有している。フレーミングコードＳ４０４は、文字放送信号の種別を示しており、ＷＳＴでは“１１１００１００”となっている。また、文字放送データ信号Ｓ４０５は文字放送のデータであり、ＷＳＴでは４２バイトデータと決められている。
【００１５】
アナログテレビコンポジット信号Ｓ４００は、図５のＳ５０１に示すように、６．３９７５ＭＨｚまでの帯域を持っており、アナログテレビコンポジット信号Ｓ４００が周波数特性向上回路３３０を通過すると、クロックランイン信号Ｓ４０３である３．５ＭＨｚ付近が、ＣＰＵ３４０から供給された乗数によって増幅される。これにより、例えば、図５のＳ５０２に示すように、伝送路の影響等によってクロックランイン信号Ｓ４０３の振幅特性が十分でない場合には、周波数特性向上回路３３０によってＳ５０３のように周波数特性を補償することができる。
【００１６】
ＭＩＮ／ＭＡＸ回路３５１は、水平同期信号検出・ＣＲＩ窓生成部３２０で生成されたＣＲＩ窓で示されるＣＲＩ期間の振幅の最小値４Ａ（図４を参照）及び振幅の最大値４Ｂ（図４を参照）を検出し、ＣＰＵ３４０に供給する。スライスレベル算出回路３５２は、振幅の最小値４Ａ及び最大値４Ｂの値から、その中間レベル４Ｃ（図４を参照）を０／１値化のスライスレベルとして決定する。そして、中間レベル４Ｃのレベルを基準とし、フレーミングコードＳ４０４及び文字放送データ信号Ｓ４０５をデコードする。
【００１７】
上記のように、周波数特性向上回路３３０は、ＣＲＩ信号帯域の振幅を増幅させてスライス回路３５０の動作精度を向上させることによって、文字放送信号の受信性能に貢献するものである。
【００１８】
また、他の文字放送受信回路の一例としては、複数種類のスライスレベルで入力データを２値化してデコードすることによって複数のデコードデータを生成し、そして、複数のデコードデータのなかからエラーの無いデコードデータを選択するようにしたものがある（例えば特許文献１を参照）。
【特許文献１】特開２００４−４０３５０号公報
【発明の開示】
【発明が解決しようとする課題】
【００１９】
しかしながら、上記の周波数特性向上回路では、入力（アナログテレビコンポジット信号）が微小な場合には、クロックランイン信号の周波数帯域を増幅しただけでは、設定されたスライスレベルに対して文字放送データの振幅が満たされず、文字放送データが誤って抜き取られる可能性が高くなる。つまり、この場合は文字放送データも同様に振幅の増幅が必要である。
【００２０】
本発明は上記の問題に着目してなされたものであり、微小振幅のアナログテレビコンポジット信号が入力されている場合でも、スライス回路に入力する信号に対して必要な信号振幅を与えられるようにすることを目的としている。
【課題を解決するための手段】
【００２１】
上記の課題を解決するため、本発明の一態様は、
アナログテレビのコンポジット信号の垂直帰線区間に重畳される文字放送信号を受信する文字放送受信回路であって、
文字放送信号の周波数帯域の振幅が所定レベルよりも低い場合に、その周波数帯域を増幅する周波数特性向上回路と、
前記周波数特性向上回路の出力を２値化して出力するスライス回路と、
を備えていることを特徴とする。
【発明の効果】
【００２２】
本発明によれば、微小振幅のアナログテレビコンポジット信号が入力されている場合でも、スライス回路に入力する信号に対して必要な信号振幅を与えられる。
【発明を実施するための最良の形態】
【００２３】
以下、本発明の実施形態について図面を参照しながら説明する。なお、以下の各実施形態の説明において、一度説明した構成要素と同様の機能を有する構成要素については、同一の符号を付して説明を省略する。
【００２４】
《発明の実施形態１》
図１は、本発明の実施形態１に係る文字放送受信回路１００の構成を示すブロック図である。文字放送受信回路１００は、同図に示すように、Ａ／Ｄ変換器１１０、水平同期信号検出・ＣＲＩ窓生成部１２０、周波数特性向上回路１３０、スライス回路１４０、文字放送データデコード回路１５０、文字放送データ格納部１６０、ＯＳＤ１７０（OSD：On Screen Display）、及びＣＰＵ１８０を備えている。
【００２５】
Ａ／Ｄ変換器１１０は、アナログテレビコンポジット信号Ｓ１０１が入力されており、入力された信号をデジタル化して周波数特性向上回路１３０に出力する。アナログテレビコンポジット信号Ｓ１０１は、垂直帰線区間に文字放送信号が重畳されている信号である。
【００２６】
水平同期信号検出・ＣＲＩ窓生成部１２０は、アナログテレビコンポジット信号Ｓ１０１の水平同期区間を検出し、この検出結果をもとに、文字放送信号の基準波形を示すクロックランイン（以下、ＣＲＩ）期間を示すＣＲＩ窓を生成する。
【００２７】
周波数特性向上回路１３０は、文字放送信号の基準信号であるＣＲＩ信号が持つ周波数帯域を補償する。この周波数特性向上回路１３０は、バンドパスフィルタ１３１（図中ではＢＰＦと略記）、選択回路１３２、乗算器１３３、及び加算器１３４を備えている。
【００２８】
バンドパスフィルタ１３１は、入力された文字放送信号の、ＣＲＩ信号（文字放送信号の基準信号）を含んだ周波数のみを取り出す。例えば、アナログテレビコンポジット信号Ｓ１０１が、欧州で伝送されているＷｏｒｌｄ  Ｓｙｓｙｔｅｍ  Ｔｅｌｅｔｅｘｔ（以下ＷＳＴ）の場合は、バンドパスフィルタ１３１は、ＣＲＩ信号周波数の約３．５ＭＨｚを中心周波数にもつデジタルバンドパスフィルタである。なお、ＷＳＴは、伝送レートが６．９３７５ＭＨｚ／ビット、重畳ラインが７から２２ラインと決められている。
【００２９】
選択回路１３２は、Ａ／Ｄ変換器１１０の出力データ（デジタル入力信号Ｓ１０２と呼ぶ）とバンドパスフィルタ１３１の出力データが入力されており、スライス回路１４０内の判別回路１４５（後述）の判別結果に応じ、入力されたこれらのデータのうちの１つを選択出力する。
【００３０】
乗算器１３３は、選択回路１３２の出力とＣＰＵ１８０から返される乗数（後述）とを乗算する。
【００３１】
加算器１３４は、乗算器１３３の乗算結果とデジタル入力信号Ｓ１０２とを加算して後段のスライス回路１４０に出力する。
【００３２】
スライス回路１４０は、周波数特性向上回路１３０の出力を２値化して出力する。このスライス回路１４０は、第１のＭＩＮ／ＭＡＸ回路１４１、第２のＭＩＮ／ＭＡＸ回路１４２、スライスレベル算出回路１４３、文字放送データ抜き取り回路１４４、及び判別回路１４５を備えている。
【００３３】
第１のＭＩＮ／ＭＡＸ回路１４１は、ＣＲＩ期間における周波数特性向上回路１３０の出力の振幅値を監視し、振幅値の最小値と最大値を検出してスライスレベル算出回路１４３及び判別回路１４５へ出力する。
【００３４】
第２のＭＩＮ／ＭＡＸ回路１４２は、現在の水平同期区間から次の水平同期区間における、周波数特性向上回路１３０の出力の最大値と最小値を検出し、その結果を判別回路１４５に出力する。
【００３５】
スライスレベル算出回路１４３は、第１のＭＩＮ／ＭＡＸ回路１４１の出力に応じて、文字放送信号の０／１を判別する閾値を決定し、文字放送データ抜き取り回路１４４に出力する。
【００３６】
文字放送データ抜き取り回路１４４は、スライスレベル算出回路１４３が決定した閾値に基づいて、周波数特性向上回路１３０が出力した文字放送信号データを０／１のデータに置き換え、後段の文字放送データデコード回路１５０に出力する。
【００３７】
判別回路１４５は、第１のＭＩＮ／ＭＡＸ回路１４１が出力した最大値、最小値、最大値と最小値の差、及び第２のＭＩＮ／ＭＡＸ回路１４２が出力した最大値、最小値、最大値と最小値の差に基づいて、選択回路１３２の出力データの選択を制御する。
【００３８】
具体的には、第１のＭＩＮ／ＭＡＸ回路１４１が出力した最大値と最小値、及び第２のＭＩＮ／ＭＡＸ回路１４２出力した最大値と最小値の４値が、予め定めた一定値範囲以下に収まっている場合には、判別回路１４５は、アナログテレビコンポジット信号Ｓ１０１が微小信号であると判別し、選択回路１３２からはデジタル入力信号Ｓ１０２を選択出力させる。
【００３９】
また、第１のＭＩＮ／ＭＡＸ回路１４１の最大値と最小値の差が一定値よりも大きい値をとり、かつ第２のＭＩＮ／ＭＡＸ回路１４２も同様に最大値と最小値の差が一定値よりも大きい値をとる場合には、判別回路１４５は、通常動作（アナログテレビコンポジット信号Ｓ１０１が通常の信号である場合の動作）と判別し、選択回路１３２からはバンドパスフィルタ１３１の出力データを選択出力させる。
【００４０】
また、第１のＭＩＮ／ＭＡＸ回路１４１の最大値と最小値の差が一定値よりも大きく、その一方で第２のＭＩＮ／ＭＡＸ回路１４２の最大値と最小値の差が一定値よりも小さい場合には、判別回路１４５は、アナログテレビコンポジット信号Ｓ１０１が異常状態である判定し、入力信号全体の帯域を増幅すべく、選択回路１３２からはデジタル入力信号Ｓ１０２を選択出力させる。
【００４１】
文字放送データデコード回路１５０は、放送方式のフォーマットに従って文字放送データ抜き取り回路１４４の出力をデコードする。
【００４２】
文字放送データ格納部１６０は、文字放送データデコード回路１５０の出力が格納される。
【００４３】
ＯＳＤ１７０は、ＣＰＵ１８０の制御に従って、文字放送データ格納部１６０内の文字放送データを出力先（例えばテレビジョンの画面）に表示する。
【００４４】
ＣＰＵ１８０は、バンドパスフィルタ１３１の出力におけるＣＲＩ信号周波数帯域の振幅をモニタし、目標の信号振幅を満たすべく、モニタ結果に応じた適切な乗数を乗算器１３３に与える。
【００４５】
（文字放送受信回路１００の動作）
文字放送受信回路１００に対して微小振幅の信号が入力された場合、ＣＲＩ信号の振幅も小さい。そのため第１のＭＩＮ／ＭＡＸ回路１４１の最大値及び最小値は、通常よりも小さい値をとり、かつ最大値と最小値の差も小さい。また、ＣＲＩ信号部分以外の信号振幅も小さいと考えられるため、同様に第２のＭＩＮ／ＭＡＸ回路１４２の最大値及び最小値も通常よりも小さい値をとり、かつ最大値と最小値の差も小さい。よって、判別回路１４５は、選択回路１３２からはデジタル入力信号Ｓ１０２を選択出力させる。一方、ＣＰＵ１８０は、バンドパスフィルタ１３１の出力におけるＣＲＩ信号周波数帯域の振幅をモニタしており、モニタ結果に応じ、目標の信号振幅を満たすべく、乗算器１３３に適切な乗数を与えている。  
【００４６】
これにより、乗算器１３３には、デジタル入力信号Ｓ１０２そのものが入力されて、ＣＲＩ信号帯域のみならず、入力信号全体の帯域が増幅される。そして、加算器１３４は、乗算器１３３の乗算結果とデジタル入力信号Ｓ１０２とを加算してスライス回路１４０に出力する。その結果、スライス回路１４０に必要な十分な信号振幅が与えられる。
【００４７】
このとき、第１のＭＩＮ／ＭＡＸ回路１４１の最大値と最小値の差は一定値よりも大きい値をとり、また、第２のＭＩＮ／ＭＡＸ回路１４２の最大値と最小値の差も同様に一定値よりも大きい値をとる。この場合は、判別回路１４５は、通常動作と判断し、判別回路１４５は、選択回路１３２からはバンドパスフィルタ１３１の出力データを選択出力させる。
【００４８】
しかしながら、判別回路１４５が通常動作と判断しても文字放送受信回路１００の入力が微小振幅でありつづけるとＣＲＩ信号の周波数帯域のみが増幅されるので、文字放送データの信号振幅が、スライス回路１４０に必要な信号振幅に満たないことが起こりうる。この場合は、第１のＭＩＮ／ＭＡＸ回路１４１の最大値と最小値の差は一定値よりも大きく、一方で第２のＭＩＮ／ＭＡＸ回路１４２の最大値と最小値の差は一定値よりも小さいと考えられる。
【００４９】
そのため、判別回路１４５は、異常状態と判定し、入力信号全体の帯域を増幅すべく、Ａ／Ｄ変換器１１０後の出力を選択回路１３２に選択出力させる。これにより、スライス回路１４０には、必要十分な信号振幅が再び与えられるようになる。
【００５０】
以上のように、本実施形態によれば、判別回路１４５において、第１のＭＩＮ／ＭＡＸ回路１４１及び第２のＭＩＮ／ＭＡＸ回路１４２の検出結果を用いることによって、入力信号を判別して場合わけができる。それゆえ、増幅されるべき信号帯域を選択回路１３２によって切り替えることが可能になる。例えば、微小信号が入力されている場合には、デジタル入力信号Ｓ１０２の全帯域が増幅される。
【００５１】
したがって、微小信号が入力されている場合でも、スライス回路１４０に入力する信号に対して必要な信号振幅を与えられ、後段のスライスレベル算出、及び文字放送データの抜き取り特性を向上させることが可能になる。
【００５２】
なお、バンドパスフィルタ１３１の中心周波数（３．５ＭＨｚ）は例示であり、文字放送信号ごとにもっている基準信号周波数をフィルタの中心周波数とできる。
【００５３】
《発明の実施形態２》
図２は、本発明の実施形態２に係る文字放送受信回路２００の構成を示すブロック図である。文字放送受信回路２００は、同図に示すように、文字放送受信回路１００に対してローパスフィルタ２１０（図中ではＬＰＦと略記）と弱電界検出回路２２０を追加したものである。なお、これらの追加に伴って、後述するように、選択回路１３２及び判別回路１４５の機能が変更されている。
【００５４】
ローパスフィルタ２１０は、周波数特性向上回路１３０内に追加されている。ローパスフィルタ２１０は、入力された放送信号のＣＲＩ信号周波数よりも高域のみを除去するデジタルローパスフィルタであり、デジタル入力信号Ｓ１０２が入力されている。
【００５５】
文字放送受信回路２００では、選択回路１３２は、デジタル入力信号Ｓ１０２とバンドパスフィルタ１３１の出力データとローパスフィルタ２１０の出力データが入力されており、判別回路１４５の判別結果に応じ、これらの３つの出力データのうちの１つを選択出力する。
【００５６】
弱電界検出回路２２０は、アナログテレビコンポジット信号Ｓ１０１が弱電界状態であるかどうかを検出し、検出結果を判別回路１４５に出力する。具体的には弱電界検出回路２２０は、デジタル入力信号Ｓ１０２が小振幅でノイズ比率が高い信号（ノイズ状態信号）の状態であるかどうかを検出する。
【００５７】
文字放送受信回路２００では、判別回路１４５は、弱電界検出回路２２０がデジタル入力信号Ｓ１０２をノイズ状態信号でないと判定した場合には、実施形態１と同様の判断基準で、デジタル入力信号Ｓ１０２及びバンドパスフィルタ１３１の出力データのうちの何れか一方を選択回路１３２に選択させる。また、弱電界検出回路２２０がデジタル入力信号Ｓ１０２をノイズ状態信号であると判断し、かつ第１のＭＩＮ／ＭＡＸ回路１４１が検出した最大値と最小値の差が一定値以下、かつ第２のＭＩＮ／ＭＡＸ回路１４２が検出した最大値と最小値の差が一定値以下である場合には、選択回路１３２にローパスフィルタ２１０の出力データを選択出力させる。
【００５８】
（文字放送受信回路２００の動作）
アナログテレビコンポジット信号Ｓ１０１が、ＷＳＴである場合を例に文字放送受信回路２００の動作を説明する。
【００５９】
文字放送受信回路２００に対して弱電界状態の信号、つまり小振幅でノイズ比率が高い信号が入力されると、文字放送信号がＷＳＴの場合は、アナログテレビコンポジット信号Ｓ１０１は、伝送レートである６．９３７５ＭＨｚよりも高域の信号を含み、かつ振幅が微小であると考えられる。そのため、第１のＭＩＮ／ＭＡＸ回路１４１の最大値と最小値の差は小さく、同様に第２のＭＩＮ／ＭＡＸ回路１４２の最大値と最小値の差も小さい。また、同時に弱電界検出回路２２０は弱電界状態を検出している。
【００６０】
したがって、判別回路１４５は、弱電界状態と判断し、伝送レートよりも高域のノイズ成分をデジタル入力信号Ｓ１０２から除去すべく、選択回路１３２にローパスフィルタ２１０の出力データを選択させる。
【００６１】
一方、ＣＰＵ１８０は、バンドパスフィルタ１３１の出力におけるＣＲＩ信号周波数帯域の振幅をモニタしているので、モニタ結果に応じ、スライス回路１４０に必要な信号振幅を満たすべく、乗算器１３３に適切な乗数を与える。これにより、乗算器１３３は、ローパスフィルタ２１０の出力データと与えられた乗数を乗算し、その結果を加算器１３４に出力する。そして、加算器１３４は、乗算器１３３の乗算結果とデジタル入力信号Ｓ１０２とを加算してスライス回路１４０に出力する。その結果、スライス回路１４０には、弱電界状態に特有な高域成分のノイズがあらかじめ除去され、かつ必要な十分な信号振幅の信号が与えられる。
【００６２】
このとき、第１のＭＩＮ／ＭＡＸ回路１４１の最大値と最小値の差は一定値よりも大きい値をとり、また、第２のＭＩＮ／ＭＡＸ回路１４２の最大値と最小値の差も同様に一定値よりも大きい値をとる。この場合は、判別回路１４５は、通常動作と判断し、判別回路１４５は、選択回路１３２からはバンドパスフィルタ１３１の出力データを選択出力させる。
【００６３】
しかしながら、判別回路１４５が通常動作と判断しても文字放送受信回路１００の入力が弱電界状態であり続けるとＣＲＩ信号の周波数帯域のみが乗算器１３３によって増幅されるので、文字放送データの信号振幅が、スライス回路１４０に必要な信号振幅に満たないことが起こりうる。この場合は、第１のＭＩＮ／ＭＡＸ回路１４１の最大値と最小値の差は一定値よりも大きく、一方で第２のＭＩＮ／ＭＡＸ回路１４２の最大値と最小値の差は一定値よりも小さいと考えられる。
【００６４】
そのため、判別回路１４５は、異常状態と判定し、入力信号全体の帯域を増幅すべく、Ａ／Ｄ変換器１１０後の出力を選択回路１３２に選択出力させる。これにより、スライス回路１４０には、必要十分な信号振幅が再び与えられるようになる。
【００６５】
以上のように、本実施形態によれば、判別回路１４５において、第１のＭＩＮ／ＭＡＸ回路１４１、第２のＭＩＮ／ＭＡＸ回路１４２、及び弱電界検出回路２２０の検出結果を用いることによって、入力信号を判別して場合わけができる。それゆえ、増幅されるべき信号帯域を選択回路１３２によって切り替えることが可能になる。例えば、アナログテレビコンポジット信号Ｓ１０１がノイズ状態信号の場合には、ノイズ成分が除去されたデジタル入力信号Ｓ１０２の全帯域が増幅される。
【００６６】
したがって、弱電界入力でも安定して、スライス回路１４０に必要な信号振幅を与えることが可能になり、後段のスライスレベル算出、及び文字放送データの抜き取り特性を向上させることが可能になる。
【００６７】
なお、ローパスフィルタ２１０の遮断周波数（上記の例では伝送レートである６．９３７５ＭＨｚ）は例示であり、文字放送信号ごとにもっている信号帯域によって遮断周波数を設定すればよい。
【００６８】
また、実施形態１、及び実施形態２の文字放送信号入力として説明したＷＳＴ信号も一例であり、全世界あらゆる文字放送信号において実現可能である。
【産業上の利用可能性】
【００６９】
本発明に係る文字放送受信回路は、微小振幅のアナログテレビコンポジット信号が入力されている場合でも、スライス回路に入力する信号に対して必要な信号振幅を与えられる  という効果を有し、アナログテレビのコンポジット信号の垂直帰線区間に重畳された文字放送信号を受信する文字放送受信回路等として有用である。
【図面の簡単な説明】
【００７０】
【図１】図１は、実施形態１に係る文字放送受信回路１００の構成を示すブロック図である。
【図２】図２は、実施形態２に係る文字放送受信回路２００の構成を示すブロック図である。
【図３】図３は、従来の文字放送受信回路の一例を示すブロック図である。
【図４】図４は、垂直帰線区間のアナログテレビコンポジット信号の波形の一例である。
【図５】図５は、文字放送信号帯域の説明図である。
【符号の説明】
【００７１】
１００      文字放送受信回路
１１０      Ａ／Ｄ変換器
１２０      水平同期信号検出・ＣＲＩ窓生成部
１３０      周波数特性向上回路
１３１      バンドパスフィルタ
１３２      選択回路
１３３      乗算器
１３４      加算器
１４０      スライス回路
１４１      第１のＭＩＮ／ＭＡＸ回路
１４２      第２のＭＩＮ／ＭＡＸ回路
１４３      スライスレベル算出回路
１４４      文字放送データ抜き取り回路
１４５      判別回路
１５０      文字放送データデコード回路
１６０      文字放送データ格納部
１７０      ＯＳＤ
１８０      ＣＰＵ
２００      文字放送受信回路
２１０      ローパスフィルタ
２２０      弱電界検出回路
Ｓ１０１      アナログテレビコンポジット信号
Ｓ１０２      デジタル入力信号
【手続補正３】
【補正対象書類名】図面
【補正対象項目名】全図
【補正方法】変更
【補正の内容】
【図１】
2008146454.tif 000008
【図２】
2008146454.tif 000009
【図３】
2008146454.tif 000010
【図４】
2008146454.tif 000011
【図５】
2008146454.tif 000012
【国際調査報告】
2008146454.tif 000013
2008146454.tif 000014
2008146454.tif 000015